(57)【特許請求の範囲】
【請求項１】
導電性の相手コンタクトが挿入したときに該相手コンタクトに接触する接触部と、該接触部に接続している端子部とを含むコンタクト部品において、
前記接触部は前記相手コンタクトを受け入れるよう絶縁性のフィルムによってソケット形状に形成した接触部材と、前記接触部材に挿入される前記相手コンタクトに接触するよう前記接触部材の内面である第１の設置面に一体に設けた面状の第１の導電部材と、前記接触部材の外面である第２の設置面に一体に設けた面状の第２の導電部材とを有し、
前記端子部は前記フィルムと同じ材料によって形成されかつ前記接触部材の一端から長板形状に延びている端子部材と、前記第１の設置面に引き続き同一面で延在している前記端子部材の第３の設置面に一体に設けられかつ前記第１の導電部材に接続した面状の第３の導電部材とを有し、
前記接触部材は、折り曲げることによって前記ソケット形状に形成されており、少なくとも前記第１及び第２の導電部材が弾性を有する粘着剤を介して前記接触部材に一体に設けられており、前記第１の導電部材が信号接続用の前記相手コンタクトに接続するものであり、前記第２の導電部材がグランド接続用の前記相手コンタクトのグランド接続に用いるものであることを特徴とするコンタクト部品。
【請求項２】
請求項１記載のコンタクト部品において、前記第２の設置面に引き続き同一面で延在している前記端子部材の第４の設置面に補強部材が一体に設けられていることを特徴とするコンタクト部品。
【請求項３】
請求項１記載のコンタクト部品において、前記第２の設置面に引き続き同一面で延在している前記端子部材の第４の設置面に面状の第４の導電部材が一体に設けられていることを特徴とするコンタクト部品。
【請求項４】
請求項３記載のコンタクト部品において、前記第４の導電部材が前記第３の導電部材に接続していることを特徴とするコンタクト部品。
【請求項５】
請求項１記載のコンタクト部品において、前記第１の導電部材には前記第１の設置面上に前記粘着剤を露出させる第１の切り欠き部が形成されており、前記第２の導電部材には前記第２の設置面上に前記粘着剤を露出させる第２の切り欠き部が形成されていることを特徴とするコンタクト部品。
【請求項６】
請求項５記載のコンタクト部品において、前記第１及び第２の切り欠き部は前記第１及び第２の設置面で対向する位置から互いに位置づれした位置に配置されていることを特徴とするコンタクト部品。
【請求項７】
請求項１記載のコンタクト部品において、少なくとも前記第１及び第２の導電部材が金属箔及び金属めっき膜のうちの一種であることを特徴とするコンタクト部品。
【請求項８】
複数の相手コネクタに接続する複数のコンタクト部品と、該コンタクト部品を保持したインシュレータとを含み、前記コンタクト部品は前記相手コネクタの相手コンタクトが挿入したときに前記相手コンタクトに接触する接触部と、該接触部に接続している端子部とを有するコネクタにおいて、
前記接触部は前記相手コンタクトを一対一に受け入れるよう絶縁性のフィルムによってソケット形状に形成した接触部材と、前記接触部材に挿入される前記相手コンタクトに接触するよう前記接触部材の内面である第１の設置面に一体に設けた面状の第１の導電部材と、前記接触部材の外面である第２の設置面に一体に設けた面状の第２の導電部材とを有し、
前記端子部は前記フィルムと同じ材料によって形成されかつ該接触部材の一端から長板形状に延びている端子部材と、前記第１の設置面に引き続き同一面で接続されている前記端子部材の第３の設置面に一体に設けられかつ前記第１の導電部材に接続した面状の第３の導電部材とを有し、
前記接触部材は、折り曲げることによって前記ソケット形状に形成されており、少なくとも前記第１及び第２の導電部材が弾性を有する粘着剤を介して前記接触部材に一体に設けられており、
少なくとも前記コンタクト部品の一つがグランド接続するグランド用の前記相手コンタクトの一つに接続するものであり、その他の前記コンタクト部品が信号送受用の前記相手コンタクトに接続するものであり、
前記第１及び前記第３の導電部材が信号送受用の前記相手コンタクトに接続し、前記第２の導電部材が隣合う前記第２の導電部材に当接してグランド接続するものであり、
前記インシュレータは前記相手コンタクトを保持している相手嵌合部に嵌合する嵌合部と、少なくとも前記第３の導電部材をもつ前記端子部材を挿通して外部へ導出するよう該嵌合部に引き続き形成した複数の貫通部とを有し、
前記嵌合部は信号送受用の前記コンタクト部品の複数と、グランド接続用の前記コンタクト部品の一つとを並列に収容しかつ隣合う前記第２の導電部材でグランド接続するよう互いに当接した状態に収容するコンタクト収容部を有していることを特徴とするコネクタ。
【請求項９】
請求項８記載のコネクタにおいて、グランド接続に用いる前記コンタクト部品を除く前記コンタクト部品には、前記第２の設置面に引き続き同一面で延在している前記端子部材の第４の設置面に補強部材が一体に設けられていることを特徴とするコネクタ。
【請求項１０】
請求項８記載のコネクタにおいて、グランド接続に用いる前記コンタクト部品を除く前記コンタクト部品には、前記第２の設置面に引き続き同一面で延在している前記端子部材の第４の設置面に面状の第４の導電部材が一体に設けられていることを特徴とするコネクタ。
【請求項１１】
請求項８記載のコネクタにおいて、グランド接続に用いる前記コンタクト部品には、前記第３の導電部材に接続した第４の導電部材が一体に設けられていることを特徴とするコネクタ。
【請求項１２】
請求項８記載のコネクタにおいて、前記第１の導電部材には前記第１の設置面上に前記粘着剤を露出させる第１の切り欠き部が形成されており、前記第２の導電部材には前記第２の設置面上に前記粘着剤を露出させる第２の切り欠き部が形成されていることを特徴とするコネクタ。
【請求項１３】
請求項１２記載のコネクタにおいて、前記第１及び第２の切り欠き部は前記第１及び第２の設置面で対向する位置から互いに位置づれした位置に配置されていることを特徴とするコネクタ。
【請求項１４】
請求項８記載のコネクタにおいて、少なくとも前記第１及び第２の導電部材が金属箔及び金属めっき膜のうちの一種であることを特徴とするコネクタ。
【発明の詳細な説明】
【０００１】
【発明の属する技術分野】
本発明は、導電性の相手コンタクトが挿入したときに相手コンタクトの周面に接触する接触部と、該接触部に接続している端子部とを含むコンタクト部品、及びコンタクト部品を備えているコネクタに属する。
【０００２】
【従来の技術】
従来のコネクタでは、複数の導電性コンタクトを配列するのに所定間隔をもってインシュレータに組み込むために、インシュレータに仕切り壁を形成してコンタクト間の絶縁やコンタクトの位置決めなどを行っている。
【０００３】
また、インシュレータは、複雑なモールド金型を用いてモールド成形しており、コネクタの仕様によって設計をその都度考慮している。
【０００４】
また、従来の高速伝送用コネクタにおいては、その特性向上・維持のため、グランドプレートをピン間に配置するか、グランドの一部をグランドピン化している。
【０００５】
【発明が解決しようとする課題】
しかしながら、コネクタは、複雑なインシュレータ構造で絶縁・位置決めなどを行っており、これを複雑なモールド金型を用いてモールド成形していたため、改造のたびに金型費用が大量発生し、これがコストアップの一原因になっている。
【０００６】
また、従来の高速伝送用コネクタにおいては、その特性向上・維持のため、グランドプレートをピン間に配置するか、グランドの一部をグランドピン化しているので、信号数のわりにコネクタが大型化したり、複雑な設計・製造・実装を余儀なくされている。
【０００７】
それ故に本発明の課題は、インシュレータ内部やコンタクトの構造がシンプルになり、小型化でき、伝送特性の向上を図ることができるコンタクト部品及びコネクタを提供することにある。
【０００８】
【課題を解決するための手段】
本発明によれば、導電性の相手コンタクトが挿入したときに該相手コンタクトに接触する接触部と、該接触部に接続している端子部とを含むコンタクト部品において、前記接触部は前記相手コンタクトを受け入れるよう絶縁性のフィルムによってソケット形状に形成した接触部材と、前記接触部材に挿入される前記相手コンタクトに接触するよう前記接触部材の内面である第１の設置面に一体に設けた面状の第１の導電部材と、前記接触部材の外面である第２の設置面に一体に設けた面状の第２の導電部材とを有し、前記端子部は前記フィルムと同じ材料によって形成されかつ前記接触部材の一端から長板形状に延びている端子部材と、前記第１の設置面に引き続き同一面で延在している前記端子部材の第３の設置面に一体に設けられかつ前記第１の導電部材に接続した面状の第３の導電部材とを有し、前記接触部材は、折り曲げることによって前記ソケット形状に形成されており、少なくとも前記第１及び第２の導電部材が弾性を有する粘着剤を介して前記接触部材に一体に設けられており、前記第１の導電部材が信号接続用の前記相手コンタクトに接続するものであり、前記第２の導電部材がグランド接続用の前記相手コンタクトのグランド接続に用いるものであることを特徴とするコンタクト部品が得られる。
【０００９】
また、本発明によれば、複数の相手コネクタに接続する複数のコンタクト部品と、該コンタクト部品を保持したインシュレータとを含み、前記コンタクト部品は前記相手コネクタの相手コンタクトが挿入したときに相手コンタクトに接触する接触部と、該接触部に接続している端子部とを有するコネクタにおいて、前記接触部は前記相手コンタクトを一対一に受け入れるよう絶縁性のフィルムによってソケット形状に形成した接触部材と、前記接触部材に挿入される前記相手コンタクトに接触するよう前記接触部材の内面である第１の設置面に一体に設けた面状の第１の導電部材と、前記接触部材の外面である第２の設置面に一体に設けた面状の第２の導電部材とを有し、前記端子部は前記フィルムと同じ材料によって形成されかつ該接触部材の一端から長板形状に延びている端子部材と、前記第１の設置面に引き続き同一面で接続されている前記端子部材の第３の設置面に一体に設けられかつ前記第１の導電部材に接続した面状の第３の導電部材とを有し、前記接触部材は、折り曲げることによって前記ソケット形状に形成されており、少なくとも前記第１及び第２の導電部材が弾性を有する粘着剤を介して前記接触部材に一体に設けられており、少なくとも前記コンタクト部品の一つがグランド接続するグランド用の前記相手コンタクトの一つに接続するものであり、その他の前記コンタクト部品が信号送受用の前記相手コンタクトに接続するものであり、前記第１及び前記第３の導電部材が信号送受用の前記相手コンタクトに接続し、前記第２の導電部材が隣合う前記第２の導電部材に当接してグランド接続するものであり、前記インシュレータは前記相手コンタクトを保持している相手嵌合部に嵌合する嵌合部と、少なくとも前記第３の導電部材をもつ前記端子部材を挿通して外部へ導出するよう該嵌合部に引き続き形成した複数の貫通部とを有し、前記嵌合部は信号送受用の前記コンタクト部品の複数と、グランド接続用の前記コンタクト部品の一つとを並列に収容しかつ隣合う前記第２の導電部材でグランド接続するよう互いに当接した状態に収容するコンタクト収容部を有していることを特徴とするコネクタが得られる。
【００１０】
【作用】
本発明のコンタクト部品及びコネクタによれば、コネクタと相手コネクタとが嵌合したときには、基板と相手基板との間において、信号用コンタクト部品の第１の導電部材が信号送受用の相手コンタクトに接触し、信号送受用のコンタクト部品における第３の導電部材が基板の信号用回路パターンに接続されることから信号が送受される。
【００１１】
これと同時に、信号送受用のコンタクト部品における第２の導電部材は、隣合う信号送受用のコンタクト部品における第２の導電部材に当接して接続し、信号送受用のコンタクト部品を除く一つのコンタクト部品における第２の導電部材が信号送受用のコンタクト部品の第２の導電部材にグランド接続する。
【００１２】
さらに、一つのコンタクト部品における第２のグランド用導電部材は、グランド接続用の相手コンタクトに接続し、この一つのコンタクト部品の第１乃至第４の導電部材が基板と相手基板とのグランド接続用の回路パターンに接続されることから、グランド接続ができる。
【００１３】
【発明の実施の形態】
以下、本発明に係るコンタクト部品及びコネクタを説明する。コンタクト部品は、導電性の信号送受用の信号用相手コンタクトに接続する信号送受用の信号用コンタクト部品と、グランド接続するための導電性のグランド用コンタクト部品との二種類からなる。
【００１４】
図１乃至図５は、信号の送受に用いる信号用コンタクト部品の一実施の形態例を示している。図１を参照して、信号用コンタクト部品１１は、図示しないピン形状の信号用相手コンタクトが挿入したときに、相手コンタクトの周面上を囲み接触するようにソケット形状に形成されている接触部１１Ａと、接触部１１Ａに接続している端子部１１Ｂとを有している。
【００１５】
図１乃至図５を参照して、接触部１１Ａは、絶縁性フィルムのような板材によってソケット状に形成されている接触部材１３と、接触部材１３に挿入される信号用相手コンタクトに接触するよう接触部材１３の内面である第１の設置面１３ａに一体に設けた面状の第１の導電部材２１と、接触部材１３の外面である第２の設置面１３ｂに一体に設けた面状の第２の導電部材２３とを有している。
【００１６】
端子部１１Ｂは、接触部材１３の軸方向の一端から延びている端子部材１５と、第１の導電部材２３に接続されている面状の第３の導電部材２５とを有している。端子部材１５は、絶縁性の板材と同じ材料の板材によって形成されている。第３の導電部材２５は、第１の設置面１３ａに引き続き同一面で延在している端子部材１５の第３の設置面１５ａに一体に設けられている。
【００１７】
第２の設置面１３ｂに引き続き同一面で延在している端子部材１５の第４の設置面１５ｂには、面状の第４の導電部材２７が一体に設けられている。第２の導電部材２３と第４の導電部材２７とは、これらが接続されていない部分１５ｊを有している。なお、第４の導電部材２７は、補強部材としての役目を果たすことから導電性部材に限らず絶縁性の薄板形状の絶縁性部材に代えることができる。
【００１８】
第１乃至第４の導電部材２１，２３，２５，２７は、金属箔及び金属めっき膜のうちから選択された一種を採用している。但し、前述したように、第４の導電部材２７は、導電性部材に限らず薄板形状の絶縁性部材としてもよい。
【００１９】
第１乃至第４の導電部材２１，２３，２５，２７は、弾性を有する粘着剤２９を介して第１乃至第４の設置面１３ａ，１３ｂ，１５ａ，１５ｂのそれぞれに一体になっている。
【００２０】
第１の導電部材２１には第１の設置面１３ａ上に粘着剤２９を露出させるように、長穴形状の第１の切り欠き部２１ａが接触部材１３の周方向で長い寸法で互いに平行な位置の二個所に形成されている。第２の導電部材２３には第２の設置面１３ｂ上に粘着剤２９を露出させるように長穴形状の第２の切り欠き部２３ａが接触部材１３の周方向で長い寸法で一個所に形成されている。第１及び第２の切り欠き部２１ａ，２３ａは、第１及び第２の設置面１３ａ，１３ｂで対向する位置から互いに対向しない位置に位置づれしている。
【００２１】
具体的には、信号用コンタクト部品１１の接触部材１３及び端子部材１５がポリイミド樹脂やテフロン樹脂のような絶縁材料を母材としたテープ形状のものを加工したものであり、接触部材１３及び端子部材１５の両面に第１乃至第４の導電部材２１，２３，２５，２７として表面を金又は錫によってめっき処理した銅箔を粘着剤２９によって貼り付けて形成されている。接触部材１３は、図４及び図５において直線の点線で示した折り曲げ線Ａで箱筒形状に折り曲げてソケット形状に成されている。
【００２２】
第１の導電部材２１は、信号用相手コンタクトと接触する接点部として機能し、第２の導電部材２３はグランドとしての機能を果たす。したがって、第１の導電部材２１は信号用パターンとして利用でき、第２の導電部材２３はグランドとして信号用パターンを包み込む構成となっている。
【００２３】
信号用コンタクト部品１１の端子部材１５は、スルーホールが形成されているプリント配線基板のような基板に挿通されて半田付けによって基板の信号用回路パターンに接続する場合にもっとも適した形状とするにはピン形状になすことが望ましい。
【００２４】
また、粘着剤２９が剥き出している第１及び第２の切り欠き部２１ａ，２３ａは、後述する隣合う信号用コンタクト部品１１や後述するインシュレータの内部のグランドとのグランド間結合、並びに位置決めを行うために利用される。また、第１の切り欠き部２１ａで粘着剤２９が剥き出されている部分では、第１の導電部材２１と接触する図示しない信号用相手コンタクトとの接続において、周囲の第１の導電部材２１における接触を保つしくみとなっている。
【００２５】
即ち、この信号用コンタクト部品１１においては、粘着剤２９が信号用相手コンタクトとの接触力を創出し、接触力を創出のためのばね構造を持たない構造となっている。また、第４の導電部材は、グランド接続としての機能を果たすことも可能である。
【００２６】
この信号用コンタクト部品１１の信号路は、信号用相手コンタクト、第１の導電部材２１、第３の導電部材２５、基板の回路となる。なお、第３の導電部材２５と第４の導電部材２７とは、これらが接続されていない部分１５ｊを有しているので、第４の導電部材２７が補強の役目を果たし、第３及び第４の導電部材２５，２７が万一、半田付けによる半田」によって繋がってしまっても大丈夫なように接続されていない部分１５ｊで絶縁している。
【００２７】
図６乃至図１０は、グランド接続に用いるグランド用コンタクト部品３１の一実施の形態例を示している。図６を参照して、グランド用コンタクト部品３１は、図示しないピン形状のグランド用相手コンタクトが挿入したときにグランド用相手コンタクトの周面上を囲み接触するようにソケット形状に形成されているグランド用接触部３１Ａと、グランド用接触部３１Ａに接続しているグランド用端子部３１Ｂとを有している。
【００２８】
図６乃至図１０を参照して、グランド用接触部３１Ａは、グランド用接触部材３３と、グランド用接触部材３３の内面である第１のグランド用設置面３３ａに一体に設けられている面状の第１のグランド用導電部材４１と、グランド用接触部材４１の外面である第２のグランド用設置面３３ｂに一体に設けた面状の第２のグランド用導電部材４３とを有している。グランド用接触部材３３は、絶縁性のグランド用板材によってソケット形状に作られている。
【００２９】
グランド用端子部３１Ｂは、グランド用接触部材３３の軸方向の一端から延びているグランド用端子部材３５と、第１のグランド用導電部材４１に接続した面状の第３のグランド用導電部材４５と、第２のグランド用導電部材４３に接続した面状の第４のグランド用導電部材４７とを有している。
【００３０】
グランド用端子部材３５は、グランド用板材と同じ材料である板材によって形成されかつグランド用接触部材３３の軸方向の一端から延びている。第３のグランド用導電部材４５は、第１のグランド用設置面３３ａから同一面で引き続き延在しているグランド用端子部材３５の第３のグランド用設置面３５ａに一体に設けられている。第４のグランド用導電部材４７は、第２のグランド用設置面３３ｂから同一面で引き続き延在しているグランド用端子部材３５の第４のグランド用設置面３５ｂに一体に設けられている。
【００３１】
第１乃至第４のグランド用導電部材４１，４３，４５，４７は、金属箔及び金属めっき膜のうちから選択された一種を採用している。
【００３２】
第１乃至第４のグランド用導電部材４１，４３，４５，４７は、グランド用粘着剤４９を介して第１乃至第４のグランド用設置面３３ａ，３３ｂ，３５ａ，３５ｂのそれぞれに一体に設けられている。
【００３３】
なお、上述した粘着剤２９とグランド用粘着剤４９とは、同じ粘着剤を採用している。粘着剤２９及びグランド用粘着剤４９としては、例えば、シリコン系粘着剤、ゴム状粘着剤などの弾性を有するものを用いてもよい。
【００３４】
第１のグランド用導電部材４１には第１のグランド用設置面３３ａ上にグランド用粘着剤４９を露出させるように、長穴形状の第１のグランド用切り欠き部４１ａがグランド用接触部材４１の周方向で長い寸法で互いに平行な位置の二個所に形成されている。第２のグランド用導電部材４３には第２のグランド用設置面３３ｂ上にグランド用粘着剤４９を露出させるように長穴形状の第２のグランド用切り欠き部４３ａが接触部材１３の周方向で長い寸法で一個所に形成されている。第１及び第２のグランド用切り欠き部４１ａ，４３ａは、第１及び第２のグランド用設置面３３ａ，３３ｂで対向する位置から互いに対向しない位置に位置づれしている。
【００３５】
具体的には、信号用コンタクト部品１１の接触部材１３及び端子部材１５がポリイミド樹脂やテフロン（登録商標）樹脂のような絶縁材料を母材としたテープ形状のものを加工したものであり、接触部材１３及び端子部材１５の両面に第１乃至第４の導電部材２１，２３，２５，２７として表面を金又は錫によってめっき処理した銅箔を粘着剤２９によって貼り付けて形成されている。接触部材１３は、図４及び図５において直線の点線で示した折り曲げ線Ａで箱筒形状に折り曲げてソケット形状に成されている。
【００３６】
第１のグランド用導電部材４１は、グランド用相手コンタクトと接触する接点部として機能し、第２のグランド用導電部材４３はグランドとしての機能を果たす。したがって、第１のグランド用導電部材４１はグランド用パターンとして利用でき、第２のグランド用導電部材４３はグランドとしてグランド用パターンを包み込む構成となっている。
【００３７】
グランド用コンタクト部品３１のグランド用端子部材４５は、スルーホールが形成されているプリント配線基板のような基板に挿通されて半田付けによって基板の導電部に接続する場合にもっとも適した形状とするにはピン形状になすことが望ましい。
【００３８】
また、グランド用粘着剤４９が剥き出している第１及び第２のグランド用切り欠き部４１ａ，４３ａは、後述する隣合うグランド用コンタクト部品３１や後述するインシュレータの内部のグランドとのグランド間結合、並びに位置決めを行うために利用される。また、第１のグランド用切り欠き部４１ａでグランド用粘着剤４９が剥き出されている部分では、第１のグランド用導電部材４１と接触する図示しないグランド用相手コンタクトとの接続において、周囲の第１のグランド用導電部材４１における接触を保つしくみとなっている。
【００３９】
即ち、このグランド用コンタクト部品３１においては、グランド用粘着剤４９がグランド用相手コンタクトとの接触力を創出するので、接触力を創出のためのばね構造を持たない構造となっている。
【００４０】
次に、図１及び図６に示した信号用コンタクト部品１１及びグランド用コンタクト部品３１を採用したコネクタの一実施の形態例を、図面を参照して説明する。
【００４１】
図１１乃至図１４を参照して、コネクタ５１は、信号送受に用いる信号用コンタクト部品１１と、グランド接続に用いるグランド用コンタクト部品３１と、信号用コンタクト部品１１及びグランド用コンタクト部品３１を保持したインシュレータ５３とを有している。
【００４２】
一方、相手コネクタ６１は、図１５及び図１６に示すように、信号用コンタクト部品１１と接続して信号を送受する信号用相手コンタクト６３と、グランド用コンタクト部品３１と接続してグランド接続するグランド用相手コンタクト６５と、信号用相手コンタクト６３及びグランド用相手コンタクト６５を保持した相手インシュレータ５３とを有している。
【００４３】
インシュレータ５３は、図１３及び図１４に示したように、相手インシュレータ６５に形成されている相手嵌合部６７に嵌合する嵌合部５５と、嵌合部５５に引き続き端子部材１５及びグランド用端子部材３５を挿通して外部へ導出する複数の貫通部５７ａ及び一つの貫通部５７ｂとを有している。
【００４４】
複数の貫通部５７ａには、複数の信号用コンタクト部品１１の第３の導電部材１５ａをもつ第１の端子部材１５が一対一に挿通し、一つの貫通部５７ｂには一つのグランド用コンタクト部品３１の第３及び第４のグランド用導電部材３５ａ，３５ｂをもつ第１のグランド用端子部材３５が挿通する。
【００４５】
嵌合部５５は、信号用コンタクト部品１１の複数と、グランド用コンタクト部品３１の一つとを並列に収容しかつ隣接する第２の導電部材２３及び第２のグランド用導電部材４３とを互いに当接した状態で収容するコンタクト収容部５８を有している。
【００４６】
コンタクト収容部５８においては、隣合う信号用コンタクト部品１１とグランド用コンタクト部品３１、若しくは隣合う信号用コンタクト部品１１同士の位置関係を粘着剤２９若しくはグランド用粘着剤４９によって維持する。
【００４７】
また、信号用コンタクト部品１１及びグランド用コンタクト部品３１は、所定形状のコンタクト収容部５８内において、接触部１１Ａ及びグランド用接触部３１Ａが隣接して密着した状態を保つことができる。なぜなら、接触部１１Ａは、可撓性をもつフィルムのような接触部材１３と、接触部材１３よりもさらに薄い第１及び第２の導電部材２１，２３とによって構成されており、グランド用接触部３１Ａは可撓性をもつフィルムのようなグランド用接触部材３３と、グランド用接触部材３３よりもさらに薄い第１及び第２のグランド用導電部材４１，４３とによって構成されているからである。
【００４８】
したがって、第２の導電部材２３同士、若しくは第２の導電部材２３と第２のグランド用導電部材４３は、互いに隣合わせで密着しグランド接続される。
【００４９】
さらに、コンタクト収容部５８の内壁面には、第２の導電部材２３と第２のグランド用導電部材４３とに接続するグランド用導電部５９が当接して設けられている。グランド用導電部５９は、金属箔及び金属めっき膜のうちから選択された一種を採用している。さらに、グランド用導電部５９は、グランド用導電部５９によって全体がシールされるとともに、各信号用コンタクト部品１１の第２の導電部材２３と、グランド用コンタクト部品３１の第２のグランド用導電部材４３とが接続されている。
【００５０】
図１１及び図１２に示したように、コネクタ５１は、基板７１に搭載され、基板７１に形成されているスルーホールに少なくとも第３の導電部材１５ａをもつ第１の端子部材１５や、第３及び第４のグランド用導電部材３５ａ，３５ｂをもつ第１のグランド用端子部材３５が、インシュレータ５３に形成されている複数の貫通部５７ａ及び一つの貫通部５７ｂを通して挿通されている。そして、第３の導電部材１５ａや、第３及び第４のグランド用導電部材３５ａ，３５ｂが基板７１に設けられている複数の信号用回路パターン及び一つのグランド用回路パターンに半田によって接続される。
【００５１】
なお、第３及び第４の導電部材２５，２７は、万一、半田付けによる半田によって繋がってしまっても接続されていない部分１５ｊで絶縁しているので、信号路がグランド接続されることはない。
【００５２】
図１７はコネクタ５１と相手コネクタ６１とが嵌合した状態を示している。相手コネクタ６１は、相手基板８１に搭載されており、複数の信号用相手コンタクト６３及び一本のグランド用相手コンタクト６４が相手基板のグランド用回路パターンに接続されている。
【００５３】
以上説明したように、コネクタ５１と相手コネクタ６１とが嵌合したときには、基板７１と相手基板８１との間において、信号用コンタクト部品１１の第１の導電部材２１が信号用相手コンタクト６３に接触し、信号用コンタクト部品１１の第３の導電部材２５が基板７１の信号用回路パターンに接続されることから、信号を送受できる状態となる。
【００５４】
これと同時に、信号用コンタクト部品１１の第２の導電部材２３は隣合う信号用コンタクト部品１１の第２の導電部材２３に当接して接続し、グランド用コンタクト部品３１の第２のグランド導電部材４３と信号用コンタクト部品１１の第２の導電部材２３とがグランド接続する。
【００５５】
さらに、グランド用コンタクト部品３１の第２のグランド用導電部材４３は、グランド用相手コンタクト６４に接触し、グランド用コンタクト部品１１の第１乃至第４のグランド用導電部材４１，４３，４５，４７が基板７１と相手基板８１との間でグランド用回路パターンに接続されることから、グランド接続ができる状態となる。
【００５６】
なお、グランド用コンタクト部品３１は一つに限るものではなく、グランド接続のために、一つ以上をコンタクト収容部５８に収容するようにしてもよいことは言うまでもない。この際、相手コネクタ６１のグランド用相手コンタクト６４は二本とする。
【００５７】
【発明の効果】
以上説明したように、本発明のコンタクト部品においては、接触部材、グランド用接触部材、端子部材、及びグランド用端子部材を同じ材料によって同じ形状に作られたものを使用することができ、面状の第１乃至第４の導電部材もほぼ同じものを使用して製作できるので、加工も容易であり、形状が異なるグランド用コンタクトやグランド用プレートを別に用意する必要がなく、簡単な構造で、しかも小形化が可能なコンタクト部品を提供できる。
【００５８】
また、第２の設置面に引き続き延在している端子部材の第４の設置面に設けた第４の導電部材を補強部材として利用できる。
【００５９】
また、少なくとも第１及び第２の導電部材、接触部材及びグランド用接触部材は、粘着剤を介して接触部材若しくはグランド用接触部材に一体に設けたので、相手コンタクト若しくはグランド用相手コンタクトと第１の導電部材、第１のグランド用接触部材との密着性が向上する。また、コンタクト部品においては、粘着剤が相手コンタクトとの接触力を創出するので、接触力を創出のためのばね構造を必要としない。
【００６０】
また、本発明のコンタクト部品においては、インシュレータの嵌合部に信号用コンタクト部品の複数と、少なくともグランド用コンタクト部品の一つとを収容しかつ隣接する第２の導電部材及び第２のグランド導電部材とを互いに当接した状態で収容するコンタクト収容部を有しているので、インシュレータに仕切り壁を形成する必要がなく、全体としてコンパクトで小形のコネクタを提供できる。
【００６１】
また、少なくともコンタクト収容部の内壁面には第２の導電部材と第２のグランド用導電部材とに接続するグランド用導電部を設けたので、一つのグランド用コンタクト部品をコンタクト収容部へ設けるのみで、複数の信号用コンタクト部品のグランド接続を可能とすることができる。
【００６２】
また、導電部材には切り欠き部を形成して粘着剤を露出させたので、隣合う信号用コンタクト部品やグランド用コンタクト部品を容易に位置決めすることができる。
【００６３】
従って、本発明のコネクタは、軽量で、特に、グランド接続用として形状が大きく異なるグランド用コンタクトやグランド用プレートを別に用意するスペースがほとんど不要となり、インシュレータの内部やコンタクトの構造がシンプルになるので小形化でき、多くのコンタクトを高密度に備えるコネクタにおいても対応でき、伝送特性の向上を図ることができる。
【図面の簡単な説明】
【図１】本発明に係るコンタクト部品として信号用コンタクト部品の一実施の形態例を示す側面図である。
【図２】図１に示した信号用コンタクト部品の正面図である。
【図３】図２のＩＩＩ−ＩＩＩ線断面図である。
【図４】図１に示した第１の導電部材を展開して示した平面図である。
【図５】図１に示した第２の導電部材を展開して示した平面図である。
【図６】本発明に係るコンタクト部品としてグランド用コンタクト部品の一実施の形態例を示す側面図である。
【図７】図６に示したグランド用コンタクト部品の正面図である。
【図８】図７のＶＩＩＩ−ＶＩＩＩ線断面図である。
【図９】図６に示した第１のグランド用導電部材を展開して示した平面図である。
【図１０】図６に示した第２のグランド用導電部材を展開して示した平面図である。
【図１１】本発明に係るコネクタの一実施の形態例を基板とともに示す正面図である。
【図１２】図１１のＸＩＩ−ＸＩＩ線断面図である。
【図１３】図１１に示したインシュレータの正面図である。
【図１４】図１３のＸＩＶ−ＸＩＶ線断面図である。
【図１５】図１１に示したコネクタと嵌合する相手コネクタを基板と共に示した正面図である。
【図１６】図１５のＸＶＩ−ＸＶＩ線断面図である。
【図１７】図１１に示したコネクタと相手コネクタとの嵌合状態を示した断面図である。
【符号の説明】
１１    信号用コンタクト部品
１１Ａ 接触部
１１Ｂ 端子部
１３    接触部材
１３ａ 第１の設置面
１３ｂ 第２の設置面
１５    端子部材
１５ａ 第３の設置面
２１    第１の導電部材
２１ａ 第１の切り欠き部
２３    第２の導電部材
２３ａ 第２の切り欠き部
２５    第３の導電部材
２７    第４の導電部材
２９    粘着剤
３１    グランド用コンタクト部品
３３    グランド用接触部材
３５    グランド用端子部材
４１    第１のグランド用導電部材
４３    第２のグランド用導電部材
４５    第３のグランド用導電部材
４７    第４のグランド用導電部材
４９    グランド用粘着剤
４１ａ    第１のグランド用切り欠き部
４３ａ    第２のグランド用切り欠き部
５１    コネクタ
５３    インシュレータ
５５ 嵌合部
５７ａ，５７ｂ 貫通部
５８    コンタクト収容部
５９    グランド用導電部
６３    信号用相手コンタクト
６４    グランド用相手コンタクト
６５    相手インシュレータ
【図１】
0003559963.tif 000002
【図２】
0003559963.tif 000003
【図３】
0003559963.tif 000004
【図４】
0003559963.tif 000005
【図５】
0003559963.tif 000006
【図６】
0003559963.tif 000007
【図７】
0003559963.tif 000008
【図８】
0003559963.tif 000009
【図９】
0003559963.tif 000010
【図１０】
0003559963.tif 000011
【図１１】
0003559963.tif 000012
【図１２】
0003559963.tif 000013
【図１３】
0003559963.tif 000014
【図１４】
0003559963.tif 000015
【図１５】
0003559963.tif 000016
【図１６】
0003559963.tif 000017
【図１７】
0003559963.tif 000018